(57)【要約】【課題】  空気調和装置の運転状態に応じてエアカーテンを形成することにより、空間内の汚染空気を適切に排気することができる排気送風システムを提供する。【解決手段】  排気空間の気体を室外に排出する排気装置と、非排気空間に設置された空気調和装置と、前記排気空間と前記非排気空間との間での気体の移動を抑制する遮断流を形成可能な送風装置と、を備えた排気送風システムであって、前記排気装置及び前記空気調和装置の運転状態を検知して前記送風装置の運転を制御する運転制御手段を有することを特徴とする排気送風システムが提供される。【選択図】  図２
2010230227.tif 000002
【特許請求の範囲】
【請求項１】
排気空間の気体を室外に排出する排気装置と、
非排気空間に設置された空気調和装置と、
前記排気空間と前記非排気空間との間での気体の移動を抑制する遮断流を形成可能な送風装置と、
を備えた排気送風システムであって、
前記排気装置及び前記空気調和装置の運転状態を検知して前記送風装置の運転を制御する運転制御手段を有することを特徴とする排気送風システム。
【請求項２】
前記運転制御手段は、前記空気調和装置の吐風口から吐風される気体の風量を検知し、前記送風装置の吐出口から吐出される気体の風量及び／または風向を制御することを特徴とする請求項１に記載の排気送風システム。
【請求項３】
前記運転制御手段は、前記空気調和装置の吐風口から吐風される気体の風向を検知し、前記送風装置の吐出口から吐出される気体の風量及び／または風向を制御することを特徴とする請求項１または２に記載の排気送風システム。
【請求項４】
前記運転制御手段は、前記空気調和装置が運転している時に前記排気装置の運転が開始されると、前記送風装置の運転を開始するように前記送風装置の運転を制御することを特徴とする請求項１〜３のいずれかに記載の排気送風システム。
【請求項５】
前記運転制御手段は、前記排気装置が運転している時に前記空気調和装置の運転が開始されると、前記送風装置の運転を開始するように前記送風装置の運転を制御することを特徴とする請求項１〜４のいずれかに記載の排気送風システム。
【発明の詳細な説明】
【技術分野】
【０００１】
本発明は、エアカーテンを形成させることができる排気送風システムに関する。
【背景技術】
【０００２】
臭気などを吸引捕集し、外部へ排気する排気装置がある。例えば、キッチンに設置されたレンジ等の調理器具の上方に排気装置を設置し、調理器具から立ちのぼる油煙や臭気などを吸引捕集することが行われている。一方、最近では、調理器具が壁に沿って設置される従来型キッチンだけでなく、調理器具が壁から離れたところに設置される、いわゆる、アイランド型キッチンやペニンシュラ型キッチンが普及し始めている。
【０００３】
従来型のキッチンでは、排気装置や調理器具の周りには壁があるため、油煙や臭気などが拡散しにくく、油煙や臭気などを比較的簡単に捕集することができた。しかし、アイランド型キッチンやペニンシュラ型キッチンでは、その周囲が開放しているため、油煙や臭気などが拡散しやすく、油煙や臭気などを捕集しにくい。そのため、アイランド型キッチンやペニンシュラ型キッチンでは、従来よりも高い捕集性能を有する排気装置が要求される。また、従来型のキッチンでも、外乱風（横風）などがある場合には、油煙や臭気などが拡散しやすく、油煙や臭気などを捕集しにくくなる場合もある。
【０００４】
そこで、気体流を吹き出し、これによって形成されるエアカーテンにより、調理器具などから立ち上る油煙や臭気などの拡散を遮断しつつ、その油煙や臭気などを捕集および排気させる装置が提案されている（例えば、特許文献１、特許文献２、及び特許文献３）。
【０００５】
エアカーテンには、特許文献２で開示されているように、イオン風が用いられることもある。イオン風は、放電極と対向極との間に電圧を印加してコロナ放電を発生させることにより生成させる。コロナ放電により、空間内の分子がイオン化し、イオン化した分子は対向極に向かって流れるが、一部の分子は室内に放出される。この分子の流れにより、イオン風が形成される。
【先行技術文献】
【特許文献】
【０００６】
【特許文献１】特開２００３−２０７１８７
【特許文献２】特開２００２−９５９９８
【特許文献３】特開２００８−７００４９
【発明の概要】
【発明が解決しようとする課題】
【０００７】
しかしながら、特許文献１に記載されたエアカーテン装置や特許文献２に記載された局所清浄化システムは、空間内に空気調和装置が存在した場合、その風は外乱風となるが、その外乱風を効果的に遮断することができず、汚染空気を拡散させてしまうという問題があった。
【０００８】
本発明は、かかる課題の認識に基づいてなされたものであり、排気装置及び空気調和装置の運転状態に応じてエアカーテンを形成することにより、空間内の汚染空気を適切に排気することができる排気送風システムを提供することを目的とする。
【課題を解決するための手段】
【０００９】
上記課題を解決するために本発明に係る排気送風システムは、本発明の一態様によれば、排気空間の気体を室外に排出する排気装置と、非排気空間に設置された空気調和装置と、前記排気空間と前記非排気空間との間での気体の移動を抑制する遮断流を形成可能な送風装置と、を備えた排気送風システムであって、前記排気装置及び前記空気調和装置の運転状態を検知して前記送風装置の運転を制御する運転制御手段を有することを特徴とする。
【発明の効果】
【００１０】
本発明によれば、空間内の汚染空気を適切に排気することができる排気送風システムが提供される。
【図面の簡単な説明】
【００１１】
【図１】本発明の第１の実施形態にかかる排気送風システムを例示する模式平面図である。
【図２】排気送風システムを例示する模式側面図である。
【図３】イオン風を用いた送風装置を例示する模式側面図である。
【図４】操作スイッチを説明するための模式図である。
【図５】排気送風システムの運転態様を例示する流れ図である。
【図６】排気送風システムの別の運転態様を例示する流れ図である。
【図７】本発明の第２の実施形態にかかる排気送風システムを例示する模式平面図である。
【図８】本発明の第３の実施形態にかかる排気送風システムを例示する模式側面図である。
【発明を実施するための形態】
【００１２】
以下、本発明の第１の実施形態について図面を参照しつつ説明する。なお、各図面中、同様の構成要素には同一の符号を付して詳細な説明は適宜省略する。
図１は、本発明の第１の実施形態にかかる排気送風システムを例示する模式平面図である。また、図２は、排気送風システムを例示する模式側面図である。
【００１３】
本実施形態にかかる排気送風システムは、キッチンカウンター２と、排気装置１０と、空気調和装置９０と、送風装置３０と、を有している。
【００１４】
キッチンカウンター２は、キッチン空間６内に位置し、上面に加熱調理器７１、シンク７４を備えている。なお、キッチンカウンター２が壁面１００に接した対面型（ペニンシュラ型）のキッチン空間６となっている。
【００１５】
排気装置１０は、ケーシング１２と、排気口１４と、排気ファン１６と、整流板１８と、電源２０と、制御装置２２（運転制御手段）と、操作スイッチ６２を備えている。
排気装置１０の下方には、加熱調理器７１が設けられ、加熱調理器７１上には鍋７２などが載置される。鍋７２などから発生した油煙や臭気などの排気流は、排気口１４から流入する。排気口１４から流入した排気流は、排気ファン１６を通過して、外部へ排気される。
【００１６】
空気調和装置９０は、リビング空間８の壁面１０２に設置されており、吸風口９２と吐風口９４を備えている。この空気調和装置９０は、リビング空間の空気調和をするものである（例えば、エアコンなどである)。本発明における空気調和とは、室内空間の空気の清浄度・温度・湿度・圧力などを、指示された範囲内に調節して保つことである。なお、本実施形態では、キッチン空間６が排気空間に相当し、リビング空間８が非排気空間に相当する。
【００１７】
図３は、イオン風を用いた送風装置３０を例示する模式側面図である。なお、図３は、説明の便宜上、断面図となっている。
送風装置３０は、ケーシング３１と、吸気口４０と、放電極３２、３６と、対向極３３、３４、３７、３８と、吐出口４２とを備えている。放電極３２と対向極３３、３４が一対の送風ユニットを形成し、放電極３６と対向極３７、３８が別の一対の送風ユニットを形成している。
【００１８】
送風装置３０では、取り入れられた気体（通常は空気）が放電極３２、３６の付近を通過し、対向極３３、３４の間、または、対向極３７、３８の間を通って、吐出口４２から吐出される。この吐出された気体は、図３のＡ及びＢの２方向へ向かうことが可能となっており、リビング空間８とキッチン空間６とを仕切るように、エアカーテンを形成する。その際、空気調和装置９０からの吐風が、排気空間への外乱風になり得るため、その外乱風を遮断するように、エアカーテンを形成する。
【００１９】
図３に示すように、放電極３２、３６には、直流電源４８が接続され、マイナスの高電圧が印加されている。そして、直流電源４８のプラス側及び対向極３３、３４、３７、３８は接地されている。
【００２０】
次に、本実施形態にかかる排気送風システムの操作スイッチについて説明する。
図４は、操作スイッチ６２を説明するための模式図である。操作スイッチ６２には、排気動作の「切」を行うためのスイッチ６４、排気動作の「入及び強弱の切替」を行うためのスイッチ６５、エアカーテンの「入切」を行うためのスイッチ６６、空気調和動作の「切」を行うためのスイッチ６７、冷房動作の「入」を行うためのスイッチ６８、暖房動作の「入」を行うためのスイッチ６９、冷房または暖房の温度設定を変更するためのスイッチ７０が設けられている。
【００２１】
これらのスイッチの機能を例示するものとすれば、例えば、スイッチ６５を一度押せば排気ファン１６が起動して、排気装置１０の排気動作が始まり、スイッチ６４を押せば排気ファン１６は停止することができる。スイッチ６５は、図中に示すように「強、弱」の二段階の切替も行うものであり、スイッチ６５の「強、弱」のいずれかを押すことにより、排気ファン１６の排気動作の強弱が切り替えることができる。また、スイッチ６６を一度押せば、電源２０から送風装置３０への電気供給が開始し、再びスイッチ６６を押せば、その電気供給が停止することができる。
【００２２】
さらに、スイッチ６８を一度押せば空気調和装置９０の冷房動作が始まり、スイッチ６９を一度押せば空気調和装置９０の暖房動作が始まることができる。スイッチ７０は、一度押す度に、冷房動作または暖房動作における温度設定を１度ずつ変更することができる。そして、スイッチ６７を一度押せば、冷房動作または暖房動作を停止することができる。
【００２３】
次に、本実施形態の排気送風システムの運転制御手段である制御装置２２による制御内容の一例について、図５、図６を参照しつつ、具体的に説明する。ここで、図５、図６における「Ｓ」は、各ステップを示している。なお、流れ図の途中段階で、操作スイッチ６２のいずれかのスイッチが押された場合は、その動作が優先される。
【００２４】
図５は、本実施形態の運転態様を例示する流れ図である。
図５に示すように、Ｓ１において、操作スイッチ６２のスイッチ６８またはスイッチ６９を押すことにより、冷房動作または暖房動作を開始する。
次に、Ｓ２において、排気装置１０が駆動しているかどうか判断する。排気装置１０が駆動しているときはＳ３へ進み、駆動していないときはＳ１０へ進み、送風装置３０によるエアカーテンを停止する。
【００２５】
Ｓ３へ進んだ場合は、空気調和装置９０の吐風方向を判断する。吐風方向が上向きの場合は、Ｓ４へ進み、空気調和装置９０の風量レベルが「強」か「弱」か判断する。風量レベル「強」の場合は、Ｓ５へ進み、送風装置３０によるエアカーテンの風量レベルを強くし、かつ、角度θが小さい方向（図３におけるＡ方向）へ吐出する。一方、空気調和装置９０の吐風方向が下向きの場合は、Ｓ６へ進み、送風装置３０によるエアカーテンの風量レベルを弱くし、かつ、角度θが小さい方向（図３におけるＡ方向）へ吐出する。
【００２６】
Ｓ３で吐風方向が下向きと判断された場合は、Ｓ７へ進み、空気調和装置９０の風量レベルが「強」か「弱」か判断する。風量レベル「強」の場合は、Ｓ８へ進み、送風装置３０によるエアカーテンの風量レベルを強くし、かつ、角度θが大きい方向（図３におけるＢ方向）へ吐出する。一方、風量レベル「弱」の場合は、Ｓ９へ進み、送風装置３０によるエアカーテンの風量レベルを弱くし、かつ、角度θが大きい方向（図３におけるＢ方向）へ吐出する。
【００２７】
次に、Ｓ１１において、空気調和装置９０の空気調和動作の状況を判断する。空気調和動作が「切」の場合はＳ１２へ進み、空気調和動作が「入」の場合はＳ２へ進み、Ｓ２以降を繰り返す。
【００２８】
Ｓ１２へ進んだ場合は、送風装置３０によるエアカーテンの風量レベルを弱くし、かつ、角度θが中間方向（図３におけるＡ方向とＢ方向の中間方向）へ吐出する。そして、Ｓ１３へ進み、排気装置１０の排気動作の状況を判断する。排気動作が「切」の場合はＳ１４へ進み、送風装置３０によるエアカーテンを停止する。一方、排気動作が「入」の場合はＳ１２へ進み、Ｓ１２以降を繰り返す。
【００２９】
これらの流れ図の運転状態を言い換えると、次のようになる。排気装置１０が駆動していない場合は、必ず、送風装置３０は駆動しない。また、排気装置１０が駆動していても、空気調和装置９０が駆動していない場合は、エアカーテンの風量レベルを弱くし、かつ、角度θが中間方向（図３におけるＡ方向とＢ方向の中間方向）へ吐出することになる。そして、排気装置１０と空気調和装置９０が両方駆動している場合は、図５のように、空気調和装置９０の運転状態に合わせて、送風装置３０の運転を調整することができる。なお、排気装置１０と空気調和装置９０が両方駆動していない場合でも、使用者がスイッチ６６を押して、送風装置３０を駆動させようとした場合は、送風装置３０を駆動することができる。
【００３０】
ここで、この制御内容の効果について、詳細に説明する。空気調和装置９０は、主に、リビング空間８における空気調和を行うものであるが、キッチン空間６とリビング空間８が一体となった空間においては、調理で発生した油煙や臭気などが排気口１４まで到達する間に、空気調和装置９０から吐風された風が外乱風となることがある。この外乱風により、油煙や臭気などが乱され、排気装置３０での捕集が悪化してしまう。そこで、この外乱風に対して、送風装置３０によるエアカーテンで効果的に遮断することにより、油煙や臭気などを含む空間内の汚染空気を適切に排気することができる。
【００３１】
この効果的に遮断するためには、排気装置１０及び空気調和装置９０の運転状態を検知して、送風装置３０の運転を制御することが有効となる。具体的には、空気調和装置９０の風量レベルが「強」の場合は、エアカーテンを強くし、空気調和装置９０の風量レベルが「弱」の場合は、エアカーテンを弱くすると、必要最低限のエネルギ、すなわち、省エネで効果的に遮断することができる。また、空気調和装置９０の吐風方向に合わせて、エアカーテンの吐出角度を制御することにより、効果的な遮断を実現することができる。例えば、空気調和装置９０の吐風方向と、送風装置３０によるエアカーテンの吐出方向とが、直角になるようにするとよい。
【００３２】
このように、排気装置及び空気調和装置の運転状態に応じてエアカーテンを形成することにより、油煙や臭気などを含む空間内の汚染空気を適切に排気することができる。この汚染空気は、調理によるものだけでなく、キッチン空間６内に漂流するものも含まれる。この漂流するものも、排気装置１０を通して、外部へ排気されるものであるが、空気調和装置９０からの吐風により乱される可能性があるためである。
【００３３】
また、上記流れ図では、吐出風量及び吐出角度を調整する例で説明したが、吐出風量または吐出角度のうち、一方の調整のみでもよい。また、空気調和装置９０の吐風方向に合わせて、エアカーテンの吐出方向を調整する例で説明したが、空気の密度差を考慮して、冷房は吐風方向が上向き、暖房は吐風方向が下向きとなっているような場合は、冷房または暖房に合わせて、エアカーテンの吐出方向を調整するようにしてもよい。
さらに、排気装置１０や送風装置３０の風量レベルを２段階で調整する例で説明したが、３段階以上としてもよい。
【００３４】
なお、上記流れ図の制御だけでなく、図２に示した外乱検知センサ４による制御を追加することもできる。この外乱検知センサ４は、風速または圧力を検知するものである。空気調和装置９０の運転状態を検知するだけでなく、外乱検知センサ４による出力値も検知することにより、より精度の高い、状況に合わせたエアカーテンの効果的な遮断ができる。
【００３５】
次に、図６は、本実施形態の別の運転態様を例示する流れ図である。
図６に示すように、Ｓ１において、操作スイッチ６２のスイッチ６５を押すことにより、排気装置１０の排気動作を開始する。
次に、Ｓ２において、空気調和装置９０が駆動しているかどうか判断する。空気調和装置９０が駆動しているときはＳ３へ進み、駆動していないときはＳ１０へ進む。ここで、Ｓ３からＳ９までのステップは、図５と同様なので、説明を省略する。
【００３６】
Ｓ１０へ進んだ場合は、排気装置１０は駆動しており、空気調和装置９０は駆動していないことになるので、送風装置３０によるエアカーテンの風量レベルを弱くし、かつ、角度θが中間方向（図３におけるＡ方向とＢ方向の中間方向）へ吐出する。そして、Ｓ１１へ進み、排気装置１０の排気動作の状況を判断する。排気動作が「切」の場合はＳ１２へ進み、送風装置３０によるエアカーテンを停止する。一方、排気動作が「入」の場合はＳ２へ進み、Ｓ２以降を繰り返す。
【００３７】
次に、Ｓ１３へ進んだ場合は、排気装置１０の排気動作の状況を判断する。排気動作が「切」の場合はＳ１４へ進み、送風装置３０によるエアカーテンを停止する。一方、排気動作が「入」の場合はＳ２へ進み、Ｓ２以降を繰り返す。
【００３８】
以上説明したように、本実施形態によれば、排気装置及び空気調和装置の運転状態に応じてエアカーテンを形成することにより、油煙や臭気などを含む空間内の汚染空気を適切に排気することができる。
【００３９】
次に、本発明の第２の実施形態について説明する。
図７は、本発明の第２の実施形態にかかる排気送風システムを表す模式平面図である。本実施形態にかかる排気送風システムは、第１の実施形態にかかる排気送風システムと比較して、キッチンカウンター２が壁面１００から離れた対面型（アイランド型）のキッチン空間６となっており、空気調和装置９０がキッチンカウンター２の後方ではなく、右方の壁面１０４に設置されている。さらに、送風装置３０は、排気装置１０と空気調和装置９０との間であるが、斜めに設置されている。その他の構造は、第１の実施形態にかかる排気送風システムと同様である。
【００４０】
図７に示すように、空気調和装置９０が、排気装置１０の略側方に位置しても、空気調和装置９０と排気装置１０との間に、送風装置３０によるエアカーテンを形成することにより、空気調和装置９０からの外乱風に対して、効果的に遮断することができる。
そして、本実施形態の排気送風システムにおいても、第１の実施形態と同様、排気装置及び空気調和装置の運転状態に応じてエアカーテンを形成することにより、油煙や臭気などを含む空間内の汚染空気を適切に排気することができる。
【００４１】
次に、本発明の第３の実施形態について説明する。
図８は、本発明の第３の実施形態にかかる排気送風システムを表す模式側面図である。なお、空気調和装置９０は、省略している。図８において、排気装置１０と送風装置３０は、説明の便宜上、断面図となっている。
【００４２】
本実施形態にかかる排気送風システムは、第１の実施形態にかかる排気送風システムと比較して、送風装置３０が、ファンでエアカーテンを吐出するものであり、かつ、排気装置１０の内部に組み込まれている。その他の構造は、第１の実施形態にかかる排気送風システムと同様である。
図８に示すように、送風装置３０は、吸気口８０、吐出ファン８２、吐出流路８４、ルーバー８６、吐出口８８を備えている。
【００４３】
吸気口８０から取り入れられた気体（通常は空気）は、吐出ファン８２、吐出流路８４を通って、吐出口８８から、エアカーテンを形成する。このエアカーテンは、排気空間５０と非排気空間５２を区切るように形成され、空気調和装置９０からの外乱風Ｗに対して、効果的に遮断することができる。
【００４４】
そして、本実施形態の排気送風システムにおいても、第１の実施形態と同様、排気装置及び空気調和装置の運転状態に応じてエアカーテンを形成することにより、油煙や臭気などを含む空間内の汚染空気を適切に排気することができる。このとき、ルーバー８６の角度を調整することにより、エアカーテンの吐出方向を調整することができる。
第３の実施形態においては、送風装置３０が排気装置１０の内部に組み込まれた一体構造であるため、設置部品が少ないという特徴がある。
【００４５】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。
【００４６】
例えば、排気装置１０や送風装置３０が備える各要素の形状、寸法、配置などや、送風装置３０や空気調和装置９０の設置形態などは、例示したものに限定されるわけではなく適宜変更することができる。
具体的には、送風装置３０は、排気空間と非排気空間との間に遮断流を形成すればよいので、天井面に設置する以外に、壁面、キッチンカウンター、床面に設置してもよい。また、空気調和装置９０は、天井面や床面に設置してもよい。
【００４７】
そして、本発明の空気調和装置９０は、空気を指示された範囲内に調節して保つ装置なので、エアコン以外に、扇風機、サーキュレータなど、単に気流を変化させる機器も含まれる。
さらに、前述した各実施形態が備える各要素は、技術的に可能な限りにおいて組み合わせることができ、これらを組み合わせたものも本発明の特徴を含む限り本発明の範囲に包含される。
【符号の説明】
【００４８】
１…排気送風システム
２…キッチンカウンター
４…外乱検知センサ
６…キッチン空間
８…リビング空間
１０…排気装置
１２…ケーシング
１４…排気口
１６…排気ファン
１８…整流板
２０…電源
２２…制御装置
３０…送風装置
３１…ケーシング
３２、３６…放電極
３３、３４、３７、３８…対向極
４０…吸気口
４２…吐出口
４８…直流電源
５０…排気空間
５２…非排気空間
６２…操作スイッチ
６４、６５、６６、６７、６８、６９、７０…スイッチ
７１…加熱調理器
７２…鍋
７４…シンク
８０…吸気口
８２…吐出ファン
８４…吐出流路
８６…ルーバー
８８…吐出口
９０…空気調和装置
９２…吸風口
９４…吐風口
１００、１０２、１０４、１０６…壁面
１０８…天井面
１１０…床面
Ａ…矢印
Ｂ…矢印
Ｗ…外乱流
θ…角度
【図１】
2010230227.tif 000003
【図２】
2010230227.tif 000004
【図３】
2010230227.tif 000005
【図４】
2010230227.tif 000006
【図５】
2010230227.tif 000007
【図６】
2010230227.tif 000008
【図７】
2010230227.tif 000009
【図８】
2010230227.tif 000010